(57)【要約】      （修正有）【課題】オゾン発生手段と送風手段との両方を作動させることによってオゾンを空気中に散布することができ、また、送風手段を停止させた状態でオゾン発生手段を作動させることによって、オゾンガスを限定された場所へ容易に供給する装置を提供する。【解決手段】ケーシングに排気窓と吸気窓とを設け、ケーシング内にオゾン発生手段を設置し、排気窓にケーシング外に送風するための送風手段を設置し、ケーシングの外側面にオゾン配管を突設し、このオゾン配管の根幹部とオゾン発生手段とを連結管を介してつなぎ、オゾン発生手段によって発生したオゾンをこのオゾン配管から排出可能とし、且つ、このオゾン配管の先端部を排気窓の前方近傍に配置し、オゾン発生手段を作動させた状態で送風手段を作動又は非作動可能としたオゾン供給装置である。【選択図】図１
0003103375.tif 000002
【実用新案登録請求の範囲】
【請求項１】
ケーシングに排気窓と吸気窓とを設け、前記ケーシング内にオゾン発生手段を設置するとともに前記排気窓に前記ケーシング外に送風するための送風手段を設置し、前記ケーシングの外側面にオゾン配管を突設するとともにこのオゾン配管の根幹部と前記オゾン発生手段とを連結管を介してつなぐことによって前記オゾン発生手段によって発生したオゾンをこのオゾン配管から排出可能とし、且つ、このオゾン配管の先端部を前記排気窓の前方近傍に配置し、前記オゾン発生手段を作動させた状態で前記送風手段を作動又は非作動可能としたことを特徴とするオゾン供給装置。
【請求項２】
請求項１のオゾン供給装置において、作動スイッチを設け、この作動スイッチの切り替えによって、前記オゾン発生手段と前記送風手段との両方を作動させる状態、前記オゾン発生手段を作動させた状態で前記送風手段を停止させる状態、前記オゾン発生手段と前記送風手段との両方を停止させる状態を選択可能としたことを特徴とするオゾン供給装置。
【請求項３】
請求項１のオゾン供給装置において、前記オゾン発生手段は、放電電極を設置した密閉ケース内に空気若しくは酸素を加圧供給するとともに、前記放電電極に高電圧を印加してオゾンを発生させるものであることを特徴とするオゾン供給装置。
【考案の詳細な説明】
【技術分野】
【０００１】
この考案はオゾン供給装置に関し、特に、一台の装置で、オゾンを限定された場所へ送り込んだり、オゾンを散布したりする場合に使用される。
【背景技術】
【０００２】
従来におけるオゾン供給装置は、オゾン発生手段にオゾン配管をつなぎ、このオゾン配管によってオゾンを限定された場所へ送り込むものと、このオゾン発生手段によって発生したオゾンを送風手段によって散布するものとが存在した。
【０００３】
【特許文献１】実開平０５−０６９１２６
【特許文献２】実開平０６−０７６３３９
【特許文献３】実開平０５−１２７９０４
【特許文献４】特開平０７−２４７１０３
【考案の開示】
【考案が解決しようとする課題】
【０００４】
しかしながら、オゾンを限定された場所へ送り込む場合と空気中に散布する場合とで、おのおの別の装置を用意することは、設置場所に広いスペースを必要とするとともに維持管理に手間がかかるという不都合を有した。
【０００５】
この考案の課題はかかる不都合を解消することである。
【課題を解決するための手段】
【０００６】
上記課題を達成するために、この考案に係るオゾン供給装置においては、ケーシングに排気窓と吸気窓とを設け、前記ケーシング内にオゾン発生手段を設置するとともに前記排気窓に前記ケーシング外に送風するための送風手段を設置し、前記ケーシングの外側面にオゾン配管を突設するとともにこのオゾン配管の根幹部と前記オゾン発生手段とを連結管を介してつなぐことによって前記オゾン発生手段によって発生したオゾンをこのオゾン配管から排出可能とし、且つ、このオゾン配管の先端部を前記排気窓の前方近傍に配置し、前記オゾン発生手段を作動させた状態で前記送風手段を作動又は非作動可能としたものである。
【０００７】
なお、このオゾン供給装置において、作動スイッチを設け、この作動スイッチの切り替えによって、前記オゾン発生手段と前記送風手段との両方を作動させる状態、前記オゾン発生手段を作動させた状態で前記送風手段を停止させる状態、前記オゾン発生手段と前記送風手段との両方を停止させる状態を選択可能とすることもできる。
【０００８】
また、前記オゾン供給装置において、前記オゾン発生手段として、放電電極を設置した密閉ケース内に空気若しくは酸素を加圧供給するとともに、前記放電電極に高電圧を印加してオゾンを発生させるものを使用することができる。
【考案の効果】
【０００９】
この考案に係るオゾン供給装置は、ケーシングに排気窓と吸気窓とを設け、前記ケーシング内にオゾン発生手段を設置するとともに前記排気窓に前記ケーシング外に送風するための送風手段を設置し、前記ケーシングの外側面にオゾン配管を突設するとともにこのオゾン配管の根幹部と前記オゾン発生手段とを連結管を介してつなぐことによって前記オゾン発生手段によって発生したオゾンをこのオゾン配管から排出可能とし、且つ、このオゾン配管の先端部を前記排気窓の前方近傍に配置し、前記オゾン発生手段を作動させた状態で前記送風手段を作動又は非作動可能としたため、前記オゾン発生手段と前記送風手段との両方を作動させることによってオゾン配管から排出するオゾンを空気中に散布することができ、また、前記送風手段を停止させた状態で前記オゾン発生手段を作動させることによって、前記オゾン配管の先端からホース等を介してオゾンを限定された場所へ容易に供給することができる。
【００１０】
よって、このオゾン供給装置を使用すれば、一台の装置で、オゾンを限定された場所へ送り込んだり、空気中に散布することができるため、従来に比し、設置場所に広いスペースを必要とせず維持管理に手間がかからないものである。
【００１１】
なお、このオゾン供給装置において、作動スイッチを設け、この作動スイッチの切り替えによって、前記オゾン発生手段と前記送風手段との両方を作動させる状態、前記オゾン発生手段を作動させた状態で前記送風手段を停止させる状態、前記オゾン発生手段と前記送風手段との両方を停止させる状態を選択可能とすれば、前記オゾン供給装置における２つの使用方法のコントロールをしやすいものである。
【００１２】
また、前記オゾン供給装置において、前記オゾン発生手段として、放電電極を設置した密閉ケース内に空気若しくは酸素を加圧供給するとともに、前記放電電極に高電圧を印加してオゾンを発生させるものを使用すれば、当該装置をコンパクトに製造することができるものである。
【考案を実施するための最良の形態】
【００１３】
図１はこの考案に係るオゾン供給装置の部分断面正面図、図２は右側面図、図３は図１におけるIII-III 線断面図である。
【００１４】
図１〜図３において、10はケーシングであり、ケーシング本体11と蓋体12とから構成されている。この蓋体12は着脱可能にすることもできるし固定式にすることもできる。13は排気窓であり、前記ケーシング10の側壁に穿設されている。また、14は吸気窓であり、前記ケーシング10における前記排気窓13と反対側の側壁に穿設されている。これら13,14 の機能は後記する。
【００１５】
20はオゾン発生手段であり、前記ケーシング本体11の内側底面に固定されている。このオゾン発生手段20は、高圧ユニット21の側面に透明ケース（この考案の「密閉ケース」に相当する）22を連設し、この透明ケース22を内部をオゾン発生室23とするとともにこのオゾン発生室23内にオゾン発生体（この考案の「放電電極」に相当する）24を設置したものである。このオゾン発生体24は前記高圧ユニット21の電流によって沿面放電方式によってオゾンを発生させる。なお、25はオゾン発生室23に設けられた空気供給口、26は同オゾン排出口である。
【００１６】
次に、30は空気ポンプであり、前記ケーシング本体11の内側底面に固定されている。この空気ポンプ30は電動式である。また、31はこの空気ポンプ30の排出口であり、ホース32を介して前記オゾン発生室23の空気供給口25と繋がれている。このため、前記空気ポンプ30を作動させることによって加圧空気を前記オゾン発生室23に供給することができる。
【００１７】
50は送風ファン（この発明の「送風手段」に相当する）であり、前記排気窓13に内嵌め固定されている。この送風ファン50は電動式であり、回転作動することによってケーシング10内の空気をケーシング10外に加圧送風する。なお、ケーシング10内には前記吸気窓14を介して大気中の空気が供給される。  
【００１８】
60はオゾン配管であり、前記ケーシング10の側壁部を貫通した状態でその外壁面に突設されている。このオゾン配管60の先端部は前記排気窓13の前方近傍にまで延びている。このため、その先端部は前記送風ファン50からの送風を充分に受けることができる。61は連結ホース（この考案の「連結管」に相当する）であり、前記オゾン配管60の根幹部と前記オゾン発生室23のオゾン排出口26とを繋いでいる。このため、前記オゾン発生手段20によって発生したオゾンはこのホース61を介して前記オゾン配管60の先端から噴出される。前記オゾン配管60の先端から噴出されるオゾンは送風ファン50からの風によって空気中に散布することができるし、また、前記オゾン配管60の先端口にホースを繋いで金魚鉢等の限定された場所へ送り込り込むこともできる。
【００１９】
70は作動スイッチであり、前記ケーシング10の側面に設置されている。この作動スイッチ70は、前記オゾン発生手段（空気ポンプ30を含む）20と前記送風ファン50との両方を作動させる状態、前記オゾン発生手段（空気ポンプ30を含む）20を作動させた状態で前記送風ファン50を停止させる状態、前記オゾン発生手段（空気ポンプ30を含む）20と前記送風ファン50との両方を停止させる状態を選択的に切り替えることができる。
【００２０】
80は電源コードに繋がれた差込みプラグである。
【産業上の利用可能性】
【００２１】
一台の装置で、オゾンを限定された場所へ送り込んだり、空気中に散布することができるため、コンパクトで維持管理の容易なオゾン供給装置として利用することができる。
【図面の簡単な説明】
【００２２】
【図１】図１はこの考案に係るオゾン供給装置の部分断面正面図である。
【図２】図２は同右側面図である。
【図３】図３は図１におけるIII-III 線断面図である。
【符号の説明】
【００２３】
10  …  ケーシング
13  …  排気窓
14  …  吸気窓
20  …  オゾン発生手段
22  …  透明ケース（密閉ケース）
24  …  オゾン発生体（放電電極）
50  …  送風ファン（送風手段）
60  …  オゾン配管
61  …  連結ホース（連結管）
70  …  作動スイッチ
【図１】
0003103375.tif 000003
【図２】
0003103375.tif 000004
【図３】
0003103375.tif 000005